(57)【要約】【課題】複数の物品等の対象物を搬入出する際に、対象物それぞれに付された情報記憶媒体の読み取りを確実に行い、対象物に係わる工程の進捗状況を管理できるようにする。【解決手段】対象物に付され且つ該対象物に関する識別情報を記憶した情報記憶媒体１０と、情報記憶媒体１０と電波を介して通信する通信装置１とを有する搬入出管理システムにおいて、通信装置１は、対象物の工程情報及び該工程の担当者情報を登録したＤＢ６にアクセス可能とし、情報記憶媒体１０に対して所定の周波数の電波を送信し、送信した電波に応じて情報記憶媒体１０から対象物の識別情報を受信し、該対象物を搬入出する際に搬入出処理に関する情報を記憶する。通信装置１は、前記受信した識別情報に応じた対象物の工程情報をＤＢ６から取得し、その工程情報と前記記憶した搬入出処理情報とを比較し、比較結果と共に前記識別情報及び搬入出処理情報を含む通知情報を担当者に送信する。【選択図】図１
2005108203.tif 000002
【特許請求の範囲】
【請求項１】
対象物に付され且つ該対象物に関する識別情報を記憶した情報記憶媒体と、該情報記憶媒体と電波を介して通信する通信装置とを有する搬入出管理システムにおいて、前記通信装置は、対象物の工程に関する工程情報及び該工程の担当者に関する情報を登録したデータベースにアクセス可能とし、前記情報記憶媒体に対して所定の周波数の電波を送信する送信制御部と、該送信した電波に応じて前記情報記憶媒体から対象物に関する識別情報を受信する受信制御部と、前記情報記憶媒体が付された対象物を搬入出する際に搬入出処理に関する情報を取得する搬入出処理情報取得部と、前記受信した識別情報に応じた対象物の工程情報を前記データベースから取得し、該取得した工程情報と前記搬入出処理情報とを比較する情報比較部と、該情報比較部による比較結果を少なくとも含む通知情報を生成し、該生成した通知情報を前記データベースから取得される担当者情報に応じた送信先に送信する通知情報送信部とを備えていることを特徴とする搬入出管理システム。
【請求項２】
前記送信制御部及び受信制御部を少なくとも備えた通信装置を着脱可能に配設するためのシート部材を備え、該シート部材は、前記対象物が接触したときに搖動可能に垂設されていることを特徴とする請求項１に記載の搬入出管理システム。
【請求項３】
前記シート部材は、暖簾状に形成され、前記通信装置を出し入れ可能に格納するための袋状の格納部を複数箇所に設けていることを特徴とする請求項２に記載の搬入出管理システム。
【請求項４】
前記通信装置は、前記情報記憶媒体と通信を行う電波の送受信状態を識別し、その識別結果を出力する出力部を備えていることを特徴とする請求項１乃至３のいずれか１に記載の搬入出管理システム。
【請求項５】
前記データベースは、対象物及びその搬入出に関する設定情報を登録して有し、前記通信装置は、搬入出する対象物の設定情報を前記データベースから取得し、該取得した設定情報に基づいて周波数の変調処理を行う変調処理部を備え、前記送信制御部は、前記変調処理部で変調された周波数の電波を所定のタイミングで前記情報記憶媒体に送信することを特徴とする請求項１乃至４のいずれか１に記載の搬入出管理システム。
【請求項６】
対象物に関する識別情報を記憶した記憶領域と該対象物の工程に関する情報を可視情報として書き換え可能に表示するための表示領域とを有する情報記憶媒体と、該情報記憶媒体と電波を介して通信する通信装置と、前記表示領域の可視情報を書き換えするための書き換え可能装置と、各工程に設けられた演算処理装置とを有し、前記通信装置と演算処理装置とが接続された搬入出管理システムにおいて、前記通信装置は、対象物の工程に関する工程情報を登録したデータベースにアクセス可能とし、前記情報記憶媒体に対して所定の周波数の電波を送信する送信制御部と、該送信した電波に応じて前記情報記憶媒体から対象物に関する識別情報を受信する受信制御部と、前記対象物を搬入出する際に搬入出処理に関する情報を取得する搬入出処理情報取得部と、前記受信した識別情報に応じた対象物の工程情報を前記データベースから取得し、該取得した工程情報と前記搬入出処理情報とを比較する情報比較部と、該情報比較部による比較結果を少なくとも含む通知情報を生成し、該生成した通知情報を前記演算処理装置に送信する通知情報送信部とを備え、前記演算処理装置は、前記書き換え可能装置と接続され、前記通知情報送信部から送信された通知情報に基づいて前記表示領域を書き換えるように前記書き換え可能装置に指示することを特徴とする搬入出管理システム。
【請求項７】
対象物に付され且つ該対象物に関する識別情報を記憶した情報記憶媒体と、該情報記憶媒体と電波を介して通信する通信装置とを有し、これら情報記憶媒体及び通信装置を用いて搬入出管理を行うための搬入出管理方法において、対象物の工程に関する工程情報及び該工程の担当者に関する情報を登録したデータベースをアクセス可能に有し、前記情報記憶媒体に対して所定の周波数の電波を送信する送信ステップと、該送信した電波に応じて前記情報記憶媒体から対象物に関する識別情報を受信する受信ステップと、前記情報記憶媒体が付された対象物を搬入出する際に搬入出処理に関する情報を取得する搬入出処理情報取得ステップと、前記受信した識別情報に応じた対象物の工程情報を前記データベースから取得し、該取得した工程情報と前記搬入出処理情報とを比較する情報比較ステップと、該比較結果を少なくとも含む通知情報を生成し、該生成した通知情報を前記データベースから取得される担当者情報に応じた送信先に送信する通知情報送信ステップとを有することを特徴とする搬入出管理方法。
【請求項８】
前記情報記憶媒体に対して所定の周波数の電波を送信する送信制御部と、該送信した電波に応じて前記情報記憶媒体から対象物に関する識別情報を受信する受信制御部とを少なくとも備えた通信装置を着脱可能に配設するためのシート部材を、前記対象物が接触したときに搖動可能に垂設していることを特徴とする請求項７に記載の搬入出管理方法。
【請求項９】
前記シート部材は、暖簾状に形成され、前記通信装置を出し入れ可能に格納するための袋状の格納部を複数箇所に設けていることを特徴とする請求項８に記載の搬入出管理方法。
【請求項１０】
前記情報記憶媒体と通信を行う電波の送受信状態を識別し、その識別結果を出力する出力ステップを有することを特徴とする請求項７乃至９のいずれか１に記載の搬入出管理方法。
【請求項１１】
前記データベースは、対象物及びその搬入出に関する設定情報を登録して有し、搬入出する対象物の設定情報を前記データベースから取得し、該取得した設定情報に基づいて周波数の変調処理を行う変調処理ステップを有し、前記送信ステップにおいて、前記変調された周波数の電波を所定のタイミングで前記情報記憶媒体に送信することを特徴とする請求項７乃至１０のいずれか１に記載の搬入出管理方法。
【請求項１２】
請求項２又は３に記載の搬入出管理システムにおける前記通信装置及びシート部材を有してなることを特徴とする通信シート。
【発明の詳細な説明】
【技術分野】
【０００１】
本発明は、搬入出管理システム、方法、及び通信シート、より詳細には、物品等の搬入出時に複数の物品等に各々付された情報記憶媒体（共振媒体）の読み取り及び書き込み処理を確実なものとし、さらにはその情報記憶媒体の交換時の作業を簡素化したシステム、方法、及び通信シートに関する。
【背景技術】
【０００２】
従来、所定の施設や工場などにおいて、荷物などの対象物を搬入出する出入口にて、それらの対象物の搬入出を管理する必要がある場合、担当者がそれらの対象物に付された所定のコード情報を探し出し、コード情報の箇所にハンドスキャナをあてることで読み取りを行なうか、あるいは各施設あるいは工場の搬入出口に設置されるゲート式の識別管理システムにより識別管理を行なっていた。この従来の識別管理システムは、例えばハンドスキャナ，送受信装置，アンテナ，識別装置などにより構成され、ゲート式の識別管理システムの場合、搬入出される対象物に付される情報記憶媒体（共振媒体を含む）に対して送受信装置のアンテナから電波を発信し、その結果、情報記憶媒体から受信した電波によって搬入出される対象物を識別管理する（例えば、特許文献１参照）。
【特許文献１】特開平１１−１６１８８５号公報
【発明の開示】
【発明が解決しようとする課題】
【０００３】
しかしながら、従来の識別管理システムでは、複数の対象物が一度に搬入出される場合などに、担当者はハンドスキャナを用いて個々の荷物などの対象物に付された情報記憶媒体を探し出し、さらにはその読み取りのセンサ部分を正しくあてがう必要があり、この確認作業が搬入出時の作業効率を悪化させていた。
【０００４】
また、例えば、ゲート式，マット式，暖簾式などの搬入出方式を備えた識別管理システムの場合であっても、荷台（搬入出用の台車など）を用いて様々な形状の荷物などが複数詰まれた状態、あるいは纏められて搬入出されるような状態では、各々の対象物に付された情報記憶媒体の位置や、送受信装置から送受信される電波の放射範囲などの問題から、確実に識別されないことがあり後工程に影響を及ぼすという問題があった。
【０００５】
また、情報記憶媒体を識別するための送受信装置、アンテナなどの断線や故障などの理由により情報記憶媒体を認識できないような場合であっても、それらの稼動状態について荷物を搬入出する担当者などが確認することができず、正確な搬入出を行うことができないという問題があった。さらには、断線や故障した送受信装置、アンテナなどが一体型の装置として構成されているような場合は、その交換作業に時間が掛かる、あるいは、一体型の装置全体を交換あるいは修理する必要がある。それらに掛かる費用が高価であり、また迅速かつ容易に交換することができなかった。
【０００６】
本発明は、上述のごとき実情に鑑みてなされたものであって、複数の物品等の対象物を搬入出する際に、対象物それぞれに付された情報記憶媒体の読み取りを確実に行い、対象物に係わる工程の進捗状況を管理できるようにすると共に、システムに係わる送受信装置などの動作状況を容易に確認できるようにし、さらには送受信装置などの交換作業の迅速化および簡素化を実現する搬入出管理システム、方法、及びそのシステムで使用する通信シートを提供すること、を目的としてなされたものである。
【課題を解決するための手段】
【０００７】
上記課題を解決するために、請求項１の発明は、対象物に付され且つ該対象物に関する識別情報を記憶した情報記憶媒体と、該情報記憶媒体と電波を介して通信する通信装置とを有する搬入出管理システムにおいて、前記通信装置は、対象物の工程に関する工程情報及び該工程の担当者に関する情報を登録したデータベースにアクセス可能とし、前記情報記憶媒体に対して所定の周波数の電波を送信する送信制御部と、該送信した電波に応じて前記情報記憶媒体から対象物に関する識別情報を受信する受信制御部と、前記情報記憶媒体が付された対象物を搬入出する際に搬入出処理に関する情報を取得する搬入出処理情報取得部と、前記受信した識別情報に応じた対象物の工程情報を前記データベースから取得し、該取得した工程情報と前記搬入出処理情報とを比較する情報比較部と、該情報比較部による比較結果を少なくとも含む通知情報を生成し、該生成した通知情報を前記データベースから取得される担当者情報に応じた送信先に送信する通知情報送信部とを備えていることを特徴とする。
【０００８】
請求項２の発明は、請求項１の発明において、前記送信制御部及び受信制御部を少なくとも備えた通信装置を着脱可能に配設するためのシート部材を備え、該シート部材は、前記対象物が接触したときに搖動可能に垂設されていることを特徴とする。
【０００９】
請求項３の発明は、請求項２の発明において、前記シート部材は、暖簾状に形成され、前記通信装置を出し入れ可能に格納するための袋状の格納部を複数箇所に設けていることを特徴とする。
【００１０】
請求項４の発明は、請求項１乃至３のいずれか１の発明において、前記通信装置は、前記情報記憶媒体と通信を行う電波の送受信状態を識別し、その識別結果を出力する出力部を備えていることを特徴とする。
【００１１】
請求項５の発明は、請求項１乃至４のいずれか１の発明におて、前記データベースは、対象物及びその搬入出に関する設定情報を登録して有し、前記通信装置は、搬入出する対象物の設定情報を前記データベースから取得し、該取得した設定情報に基づいて周波数の変調処理を行う変調処理部を備え、前記送信制御部は、前記変調処理部で変調された周波数の電波を所定のタイミングで前記情報記憶媒体に送信することを特徴とする。
【００１２】
請求項６の発明は、対象物に関する識別情報を記憶した記憶領域と該対象物の工程に関する情報を可視情報として書き換え可能に表示するための表示領域とを有する情報記憶媒体と、該情報記憶媒体と電波を介して通信する通信装置と、前記表示領域の可視情報を書き換えするための書き換え可能装置と、各工程に設けられた演算処理装置とを有し、前記通信装置と演算処理装置とが接続された搬入出管理システムにおいて、前記通信装置は、対象物の工程に関する工程情報を登録したデータベースにアクセス可能とし、前記情報記憶媒体に対して所定の周波数の電波を送信する送信制御部と、該送信した電波に応じて前記情報記憶媒体から対象物に関する識別情報を受信する受信制御部と、前記対象物を搬入出する際に搬入出処理に関する情報を取得する搬入出処理情報取得部と、前記受信した識別情報に応じた対象物の工程情報を前記データベースから取得し、該取得した工程情報と前記搬入出処理情報とを比較する情報比較部と、該情報比較部による比較結果を少なくとも含む通知情報を生成し、該生成した通知情報を前記演算処理装置に送信する通知情報送信部とを備え、前記演算処理装置は、前記書き換え可能装置と接続され、前記通知情報送信部から送信された通知情報に基づいて前記表示領域を書き換えるように前記書き換え可能装置に指示することを特徴とする。
【００１３】
請求項７の発明は、対象物に付され且つ該対象物に関する識別情報を記憶した情報記憶媒体と、該情報記憶媒体と電波を介して通信する通信装置とを有し、これら情報記憶媒体及び通信装置を用いて搬入出管理を行うための搬入出管理方法において、対象物の工程に関する工程情報及び該工程の担当者に関する情報を登録したデータベースをアクセス可能に有し、前記情報記憶媒体に対して所定の周波数の電波を送信する送信ステップと、該送信した電波に応じて前記情報記憶媒体から対象物に関する識別情報を受信する受信ステップと、前記情報記憶媒体が付された対象物を搬入出する際に搬入出処理に関する情報を取得する搬入出処理情報取得ステップと、前記受信した識別情報に応じた対象物の工程情報を前記データベースから取得し、該取得した工程情報と前記搬入出処理情報とを比較する情報比較ステップと、該比較結果を少なくとも含む通知情報を生成し、該生成した通知情報を前記データベースから取得される担当者情報に応じた送信先に送信する通知情報送信ステップとを有することを特徴とする。
【００１４】
請求項８の発明は、前記情報記憶媒体に対して所定の周波数の電波を送信する送信制御部と、該送信した電波に応じて前記情報記憶媒体から対象物に関する識別情報を受信する受信制御部とを少なくとも備えた通信装置を着脱可能に配設するためのシート部材を、前記対象物が接触したときに搖動可能に垂設していることを特徴とする。
【００１５】
請求項９の発明は、請求項８の発明において、前記シート部材は、暖簾状に形成され、前記通信装置を出し入れ可能に格納するための袋状の格納部を複数箇所に設けていることを特徴とする。
【００１６】
請求項１０の発明は、請求項７乃至９のいずれか１の発明において、前記情報記憶媒体と通信を行う電波の送受信状態を識別し、その識別結果を出力する出力ステップを有することを特徴とする。
【００１７】
請求項１１の発明は、請求項７乃至１０のいずれか１の発明において、前記データベースは、対象物及びその搬入出に関する設定情報を登録して有し、搬入出する対象物の設定情報を前記データベースから取得し、該取得した設定情報に基づいて周波数の変調処理を行う変調処理ステップを有し、前記送信ステップにおいて、前記変調された周波数の電波を所定のタイミングで前記情報記憶媒体に送信することを特徴とする。
【００１８】
請求項１２の発明は、請求項２又は３の発明の搬入出管理システムにおける前記通信装置及びシート部材を有してなることを特徴とする通信シートである。
【発明の効果】
【００１９】
本発明によれば、複数の物品等の対象物を搬入出する際に、対象物それぞれに付された情報記憶媒体の読み取りを確実に行って、対象物に係わる工程の進捗状況を管理できると共に、システムに係わる送受信装置などの動作状況を容易に確認することができるため、搬入出処理に係わる作業効率の向上を図ることができる。
さらには、送受信装置などの交換作業の迅速化および簡素化を実現したため、交換作業の効率化、コストの低減を図ることができる。
【発明を実施するための最良の形態】
【００２０】
本発明の実施の一形態を図１乃至図８に基づいて説明する。
図１は、本発明の搬入出管理システム全体の概略構成例を示すブロック図で、図中、１ａ〜１ｎはＲＦ（Ｒａｄｉｏ  Ｆｒｅｑｕｅｎｃｙ）通信装置、２は搬入出口（ゲート）近傍に設けられた制御装置、３はインタフェイス（Ｉ／Ｆ）部、４はＬＡＮ制御装置、５はホストコンピュータ、６は対象物の工程に関する工程情報及びその工程の担当者情報を登録したデータベース（ＤＢ）、７ａ〜７ｎは各工程を管理するために各工程に設けられたコンピュータユニット（演算処理装置）、８ａ〜８ｎは上位システム、１０は情報記憶媒体（共振タグ）である。制御装置２はＣＰＵ及びメモリを備えた制御部２ａを有している。尚、本例では、上位システム８ａ〜８ｎとして、工程管理システム８ａ，生産管理システム８ｂ，・・・，入出庫管理システム８ｎが接続されている。コンピュータユニット７ａ〜７ｎは、図示しないＣＰＵ及び記憶装置などを備え、例えば、ＰＣ（パーソナルコンピュータ）や、より簡単な構成のマイコンユニットなどで構成されている。
【００２１】
本実施形態に示すシステムにおいて、ＲＦ通信装置１ａ〜１ｎは、制御部２ａの制御に基づいて情報記憶媒体１０との間でデータ等の読み書きなどを行う。このＲＦ通信装置１ａ〜１ｎは、制御装置２（制御部２ａ）及びＩ／Ｆ部３を内蔵する構成としてもよい。制御部２ａは、Ｉ／Ｆ部３及びＬＡＮ制御装置４を介してホストコンピュータ５及びコンピュータユニット７ａ〜７ｎと接続されており、ＲＦ通信装置１ａ〜１ｎによって読み書きされる情報記憶媒体１０に格納されるデータ等の送受信などを行う。ホストコンピュータ５にはＤＢ６が外部接続あるいは内蔵されており、ＤＢ６は、対象物の工程に関する工程情報及び担当者情報に加えて、例えば、対象物に関する情報、その対象物を使用する工程管理システム８ａ，生産管理システム８ｂ，あるいは入出庫管理システム８ｎなどに関する各種のデータ等が、ＤＢ６の各情報フィールドに設定される各格納項目と対応付けて格納されている。
【００２２】
コンピュータユニット７ａ〜７ｎは、工程管理システム８ａ，生産管理システム８ｂ，あるいは入出庫管理システム８ｎと接続され、ＲＦ通信装置１ａ〜１ｎにより受信した受信情報に基づいて、各システムの工程への指示などを行う。これは、例えば、予定されていた搬入出のスケジュールが遅れたり、早まったりの変更などが生じた場合には、その状態を次工程の担当者に通知したり、あるいは、スケジュールに反映させるなどすることにより、正確なライン制御を可能とする。
【００２３】
而して、本発明のシステムにおいて、ＲＦ通信装置１ａ〜１ｎは、対象物の搬入出を行う時に当該対象物に付された情報記憶媒体１０と通信し、情報記憶媒体１０から対象物に関する識別情報（対象物に対応したＩＤ情報など）を受信する。制御装置２は、対象物の搬入出時にその搬入出処理に関する情報（例えば、搬入出ゲート情報，搬入出日時情報など）を取得してメモリに蓄積する。さらに、制御装置２は、上記識別情報により識別される対象物の工程情報をＤＢ６から抽出し、予定（工程情報）と実績（搬入出処理情報）とを比較し、比較した結果（例えば、正常／異常、異常の場合は遅延，前倒し，未確認など）を少なくとも含む通知情報を当該工程の担当者に送信するようにしたものである。
【００２４】
図２は、情報記憶媒体（共振タグ）１０の概略構成例を示すブロック図で、情報記憶媒体１０は、ＲＦ回路１１，制御回路１２，ＥＥＰＲＯＭ１３を有している。情報記憶媒体１０は、例えばＲＦ−ＩＤの素子であり、データ等を格納可能な小型の記憶媒体である。ここで、上記ＲＦ−ＩＤとは、「Ｒａｄｉｏ  Ｆｒｅｑｕｅｎｃｙ  Ｉｄｅｎｔｉｆｉｃａｔｉｏｎ」の略称である。
【００２５】
ＲＦ回路１１及びＥＥＰＲＯＭ１３は、各々制御回路１２に接続される。ＲＦ回路１１は、図１に示したＲＦ通信装置１ａ〜１ｎからの電波を受信するためのアナログ回路であり、制御回路１２はＲＦ回路１１を介して変調処理及び復調処理するなどのデータ処理を行うデジタル回路である。ＥＥＰＲＯＭ１３には、物品などの対象物を識別するためのＩＤコードなど識別情報が記録保持されている。
【００２６】
図３は、ＲＦ通信装置１ａ〜１ｎの概略構成例を示すブロック図で、ＲＦ通信装置１ａ〜１ｎ（以下、ＲＦ通信装置１で代表する）は、出力部２０，変調回路２１，送信制御部２２，受信制御部２３，復調回路２４，アンテナ２５，制御部２６，Ｉ／Ｆ部２７を備えている。ＲＦ通信装置１は、対象物３０に付される情報記憶媒体１０との間でデータ等の送受信を行い、ホストコンピュータ５とＬＡＮ制御装置４を介して通信を行うためのＩ／Ｆ部２７と、送受信するデータ等を記憶したり、情報記憶媒体１０に対する電波の送受信の制御を行ったり、さらには出力部２０に対する制御を行う制御部２６と、制御部２６からの制御に基づいてＲＦ通信装置１の稼動状態を表す指示に応じてランプあるいは音による出力を行う出力部２０と、送信データに対する所定の変調処理を行う変調回路２１と、外部に変調された変調電波を送信する送信制御部２２と、ＲＦ反応に応じて情報記憶媒体１０から返信されるデータ等を受信する受信制御部２３と、受信した変調電波に対する所定の復調処理を行う復調回路２４と、外部とのデータ等の送受信を送信制御部２２及び受信制御部２３を介して行うためのアンテナ２５からなる。
【００２７】
本実施形態に示すＲＦ通信装置１は、図１に示した制御装置２（制御部２ａ）及びＩ／Ｆ部３を内蔵したものであって、すなわち、制御部２６及びＩ／Ｆ部２７を内蔵することにより、情報記憶媒体１０とホストコンピュータ５の間でデータ通信を可能とする。本実施形態の場合、制御装置２の機能はＲＦ通信装置１により実現される。すなわち、制御部２６は、対象物３０の搬入出時にその搬入出処理に関する情報（搬入出ゲート情報，搬入出日時情報など）を取得して図示しないメモリに蓄積する。さらに、制御部２６若しくは制御部２ａは、情報記憶媒体１０からの識別情報により識別される対象物３０の工程情報をＤＢから抽出し、予定（工程情報）と実績（搬入出処理情報）とを比較し、比較した結果（例えば、正常／異常、異常の場合は遅延，前倒し，未確認など）を少なくとも含む通知情報を当該工程の担当者に送信する。
【００２８】
図４及び図５は、本発明が適用される搬入出管理方法の一例を説明するためのフロー図である。図５は、図４に示すフローの続きである。本例において、搬入出される複数の対象物（荷物）に各々付される情報記憶媒体１０がＲＦ通信装置１に近づいた場合の識別処理について図１及び図２に示した構成に基づいて説明する。
図４において、まず、ホストコンピュータ５は、ＲＦ通信装置１での識別処理に関する設定情報として、ＤＢ６の所定の情報フィールドに格納されている識別処理に関する設定情報，対象物情報，搬入出情報，スケジュール情報などを抽出し、抽出した各種の設定情報をＬＡＮ制御装置４及びＩ／Ｆ部３を介して制御装置２に送信する。
【００２９】
詳述すると、ホストコンピュータ５は、ＤＢ６に格納されている搬入出に関する設定情報（例えば、物品等を搬入出するゲートの大きさ，幅，搬入出される物品等の形状，個数，搬入出の頻度，担当者の有無などを含む）を抽出し、抽出した設定情報を対応するゲートを制御する制御装置２の制御部２ａに送信する。対応する制御装置２に備わる制御部２ａはホストコンピュータ５からの設定情報をＬＡＮ制御装置４及びＩ／Ｆ部３を介してデータ入力を行い、入力したデータを制御部２ａのメモリに格納する（ステップＳ１）。
【００３０】
制御部２ａは、メモリに格納した設定情報に基づいて、各々接続されるＲＦ通信装置１ａ〜１ｎに応じた送信電波を生成すべく、上記設定情報に応じて必要な変調処理を行うようにＲＦ通信装置１の変調回路２１に指示する（ステップＳ２）。次に、送信制御部２２は、制御部２ａのメモリに格納された設定情報に含まれる送信タイミングに関する情報（例えば、同一周波数の時間差送信、複数周波数の時間差／同期送信など）を取得し（ステップＳ３）、取得した送信タイミング情報に基づいて送信電波を送信するか否かを判断する（ステップＳ４）。
【００３１】
上記ステップＳ４において、送信電波を送信する場合（ＹＥＳの場合）、上記ステップＳ３で取得した送信タイミング時において変調処理された送信電波をアンテナ２５を介して情報記憶媒体１０に対して送信する（ステップＳ５）。また、上記ステップＳ４において、送信電波を送信しない場合（ＮＯの場合）、ステップＳ４において所定の送信タイミングまで待機状態となる。なお、制御部２ａは、メモリに格納した設定情報に基づいて各々接続される複数のＲＦ通信装置１ａ〜１ｎに対して、送信電波の送信に関する排他及び／又は同期処理を行う。
【００３２】
次に、受信制御部２３は、送信制御部２２による送信電波の送信に応じて、情報記憶媒体１０からアンテナ２５を介して受信電波（変調データ信号）を受信したかどうか判断し（ステップＳ６）、受信電波（変調データ信号）を受信した場合（ＹＥＳの場合）、復調回路２４にて受信した受信電波の復調処理を行う。また、受信電波（変調データ信号）を受信しない場合（ＮＯの場合）、上記ステップＳ４に戻り送信処理を再度行うかどうか判断する。
【００３３】
次に、制御部２ａでは、復調したデータを制御部２ａ内のメモリに格納し、他のＲＦ通信装置１ａ〜１ｎで読み取り重複が生じていないか否かの比較を行い（ステップＳ７）、その結果、重複する受信データが存在する場合（ＹＥＳの場合）、当該重複データの削除を行う（ステップＳ８）。また、上記ステップＳ７において、重複する受信データがない場合（ＮＯの場合）、受信データが予め対象物として搬入出の予定があったものであるか否かの比較を行う（ステップＳ９）。
【００３４】
図５において、上記ステップＳ９の比較処理において対象物が一致したかどうか判定し（ステップＳ１０）、対象物が一致した場合（ＹＥＳの場合）、確認情報（例えば、ゲート情報，ＲＦ通信装置に関する情報，アンテナの稼動情報，搬入出を行った日時情報などを含む）を当該受信データに付加し（ステップＳ１１）、その確認情報の内容に応じて情報記憶媒体１０のメモリへの確認情報の書き込みを行う。また、上記ステップＳ１０において、対象物が一致しない受信データであった場合（ＮＯの場合）、搬入出ミスである可能性が高いと判断し、当該対象物に類似する、あるいは相当する情報に基づいて、未確認情報を付加し（ステップＳ１２）、制御部２ａは、確認情報あるいは未確認情報の有無に応じて、ＤＢ６から対応する送信先情報（担当者情報）、あるいは工程に関する工程情報を抽出し、その送信先情報で特定される送信先を設定し（ステップＳ１３）、復調処理された上記受信データ（確認情報あるいは未確認情報を付加）を送信する（ステップＳ１４）。このように、送信された情報はホストコンピュータ５のＤＢ６に格納され、以後、コンピュータユニット７ａ〜７ｎによって制御される上位システム（工程管理システム８ａ，生産管理システム８ｂ，入出庫管理システム８ｎなど）の各工程システムに反映されることとなる。
【００３５】
ところで、ＲＦ通信装置１の出力部２０における出力形態は、ＬＥＤなどを用いた表示が可能であるが、例えば、稼動中（例えば、青系色）／停止中（例えば、赤系色）の表示で稼動状態、あるいは識別の可否を通知することができる。また、音や音声を利用する形態としてもよく、この場合、稼動中（例えば、短音）／停止中（例えば、連続音）の出力で稼動状態、あるいは識別の可否を通知することができる。また、ゲート付近に設置されるカメラ（図示せず）を用いて通過する対象物について画像判別を行うことで、対象物に添付されている情報記憶媒体１０がＲＦ通信装置１を通過したにも関わらず、識別されなかった場合の処理を行うようにしても良い。
【００３６】
さらに、出力部２０は、ＬＥＤと音声による出力例について説明したが、本発明はこれに限定されることはなく、例えば、復調処理された情報記憶媒体のデータや関連する情報を表示板（図示せず）に表示するような構成としても良い。
【００３７】
図６は、ゲートに設けられた暖簾状シート部材の一例について示した図で、図中、４０は暖簾状シート部材で、該暖簾状シート部材４０には、制御部４５と、ＲＦ通信装置１を出し入れ可能に格納するための包袋部４２ａ〜４４ｃが各列４１ａ〜４１ｃに設けられている。このように、暖簾状シート部材４０にＲＦ通信装置１を格納した通信シートによって、暖簾状シート部材４０を通過する対象物に付された情報記憶媒体１０を識別するような構成としてもよい。本実施形態の場合、制御部４５が、暖簾状シート部材４０の各列４１ａ〜４１ｃの各包袋部４２ａ〜４４ｃに格納されるＲＦ通信装置１の送受信制御を統合的に行うことで、排他処理及び／又は同期処理などを行う。また、各包袋部４２ａ〜４４ｃは、袋状になっており、この中にＲＦ通信装置１がそれぞれ格納される。そのため、例えば、ＲＦ通信装置１による認識処理が断線や故障により正常に行えない場合であって、交換作業が必要な場合には、交換対象となるＲＦ通信装置１のみを交換することが可能となる。
【００３８】
尚、本実施形態では複数の包袋部４２ａ〜４４ｃを備えた暖簾状シート部材４０を代表例として説明したが、ＲＦ通信装置１を着脱可能に配設できるシート部材であればよく、このシート部材は対象物が接触したときに搖動可能に垂設されていればよい。
【００３９】
図７は、本発明の搬入出管理システム全体の概略構成の他の例を示すブロック図で、図中、１ａ〜１ｎはＲＦ通信装置、２は搬入出口（ゲート）近傍に設けられた制御装置、３はＩ／Ｆ部、４はＬＡＮ制御装置、５はホストコンピュータ、６は対象物の工程に関する工程情報及びその工程の担当者情報を登録したＤＢ、７ａ〜７ｎは各工程を管理するために各工程に設けられたコンピュータユニット（例えば、ＰＣ、マイコンユニットなど）、８ａ〜８ｎは上位システム、９ａ〜９ｎは各工程のコンピュータユニット７ａ〜７ｎに接続されたリライタブル装置、５０は情報記憶媒体である。制御装置２はＣＰＵ及びメモリを備えた制御部２ａを有している。
【００４０】
上位システム８ａ〜８ｎとしては、図１と同様に、工程管理システム８ａ，生産管理システム８ｂ，・・・，入出庫管理システム８ｎが接続され、工程管理システム８ａには工程１〜工程４、生産管理システム８ｂには工程５〜工程９、入出庫管理システム８ｎには工程１０〜工程１４をそれぞれ下位工程として有し、各下位工程（工程１〜工程１４）には図示しないコンピュータユニット及びリライタブル装置が設けられている。尚、本実施形態において、図１と同様の機能を有する部分には、同じ符号を付け、その繰り返しの説明は省略するものとする。
【００４１】
本実施形態の情報記憶媒体５０は、第１の表示領域５１、第２の表示領域５２、及び記憶領域５３を有し、第１の表示領域５１あるいは第２の表示領域５２を書き換え可能なリライタブルペーパであり、対象物に添付され、複数の工程において各工程の生産担当者又は生産管理者によって持ち回りで使用される。第１の表示領域５１及び／又は第２の表示領域５２は、対象物の工程に関する情報を可視情報として書き換え可能に表示するための領域である。一方、記憶領域５３は、図２に示した構成と同様に、図示しないＲＦ回路，制御回路，ＥＥＰＲＯＭなどを有したＲＦ−ＩＤ素子で、各種データ等を格納可能とする。
【００４２】
記憶領域５３において、ＲＦ回路及びＥＥＰＲＯＭは各々制御回路に接続され、ＲＦ回路は図７に示したＲＦ通信装置１ａ〜１ｎからの電波を受信するためのアナログ回路であり、制御回路はＲＦ回路を介して変調処理及び復調処理するなどのデータ処理を行うデジタル回路である。ＥＥＰＲＯＭには物品などの対象物を識別するためのＩＤコードなど識別情報が記録保持されている。
【００４３】
リライタブル装置９ａ〜９ｎ、及び各下位工程（工程１〜工程１４）に設けられたリライタブル装置は、情報記憶媒体５０の第１の表示領域５１、第２の表示領域５２を書き換えるためのプリンタである。第１の表示領域５１及び第２の表示領域への印字／消去は、例えば、光や熱を利用した公知の書き換え技術により実現することができる。上記各リライタブル装置は、情報記憶媒体５０が給紙トレイにセットされると、給紙トレイの給紙口近傍のセンサにより情報記憶媒体５０の有無を判定し、トレイの裏面等に設けられているアンテナが記憶領域５３からデータを受信する。その後、情報記憶媒体５０は、リライタブル装置の給紙トレイから装置内部に給紙され、第１の表示領域５１あるいは第２の表示領域５２の書き換え処理後に排紙される。
【００４４】
図８は、ＤＢ６あるいは制御部２ａのメモリに格納される工程管理情報テーブル及び表示領域管理テーブルの一例を示す図である。図８（Ａ）は各工程を管理するための工程管理情報テーブルの一例を示した図で、この工程管理情報テーブルにより、印刷出力する各工程の帳票種毎に属性情報が管理される。図８（Ｂ）は情報記憶媒体５０の各表示領域を管理するための表示領域管理テーブルの一例を示した図である。各リライタブル装置は、上記工程管理情報テーブル及び表示領域管理テーブルに従って、情報記憶媒体５０の各表示領域（第１の表示領域５１あるいは第２の表示領域５２）を書き換える。
【００４５】
図８（Ａ）において、工程管理情報テーブルには、例えば部品登録情報、加工指示情報、納品情報などの工程管理に関する情報が工程毎に登録されている。この工程管理情報は、工程（本例では、第１工程、第２工程、第３工程）毎に、例えば、工程内容（Ａ処理，Ｂ処理，Ｃ処理など）、工程の識別情報（工程固有の工程番号など）、第１の表示領域５１及び第２の表示領域５２に表示させる情報の種類（例えば、第１の表示領域５１には予定と実績の比較結果を含む通知情報を表示させ、第２の表示領域５２には日時、担当者情報等を表示させる）、各リライタブル装置に割り当てられた固有番号などを含むものとする。
【００４６】
また、工程管理情報テーブルに含まれる属性情報は、印刷出力する帳票の種類（本例では、登録帳票，加工帳票，納品帳票）に応じて、指示情報の有無、通知先（担当者，管理者，配送先など）、連絡手段（電子メール，電話，ＦＡＸなど）、関連処理の有無、統合処理の有無などを含むものとする。ここで、幾つかの異なる工程が、その後の別の工程で統合されるような場合、具体的には、例えば、複数の部品を組み立てて新たな１部品（製品）を生産するような統合化工程を有する場合には、前記複数部品の工程に応じた複数の帳票（情報記録媒体）が１枚の情報記録媒体５０に統合処理される。統合処理を必要とするかどうかは、属性情報の「統合処理」により判断することができる。本例では、加工帳票及び納品帳票に対して統合処理する必要があることがわかる。
【００４７】
図８（Ｂ）において、表示領域管理テーブルには、表示領域に応じた書き換え可否制御情報や、レイアウト情報などを含む表示領域に関する管理情報が登録されている。上記書き換え可否制御情報は、情報記録媒体５０の表示領域を同一面上に複数箇所設けた場合に、各表示領域について書き換えの可否を制御するためのもので、本例では、第１の表示領域５１は書き換え可能で、第２の表示領域５２は書き換え不可であることがわかる。このように、書き換え可能領域と書き換え不可領域とをソフトウェアにより制御することができる。
【００４８】
また、上記レイアウト情報は、表示領域に表示させる領域数，表示位置，表示面積のいずれか１又は複数を含むもので、このレイアウト情報に従って通知情報などを表示領域に書き換えることができる。ここで、通知情報の情報量、例えば、可視情報として表示される内容に応じたデータ量に応じてレイアウト情報を変更するようにしてもよい。表示させる可視情報は、例えば、文字，アルファベット，数字，記号，コードなどを含み、各リライタブル装置により印字出力される。
【００４９】
図７において、制御装置２は、対象物の搬入出時にその搬入出処理に関する情報（例えば、搬入出ゲート情報，搬入出日時情報など）を取得してメモリに蓄積する。さらに、制御装置２は、情報記憶媒体５０からの識別情報により識別される対象物の工程情報をＤＢ６から抽出し、予定（工程情報）と実績（搬入出処理情報）とを比較し、比較した結果（例えば、正常／異常、異常の場合は遅延，前倒し，未確認など）を少なくとも含む通知情報を当該工程のコンピュータユニットに送信する。当該工程のコンピュータユニットは、接続されたリライタブル装置に対して、上記通知情報に基づいて情報記憶媒体５０の第１の表示領域５１又は第２の表示領域５２を書き換えるように指示し、リライタブル装置は書き換え指示に従って第１の表示領域５１又は第２の表示領域５２の書き換えを行う。
【００５０】
具体例として、工程管理システム８ａ配下の工程２に設けられたコンピュータユニットは、別の工程４に対して新たな情報記憶媒体を発行するかどうかを、工程２の進捗状況に基づいて判定し、新たな情報記憶媒体を発行すると判定した場合、その結果を工程４のコンピュータユニットに送信する。工程４のコンピュータユニットは、接続されたリライタブル装置に対して、工程２の情報記憶媒体５０ａを情報記憶媒体５０ｂに書き換えるように指示し、当該リライタブル装置は書き換え指示に従って第１の表示領域５１又は第２の表示領域５２の書き換えを行う。
【００５１】
また、生産管理システム８ｂ配下の工程６に設けられたコンピュータユニットは、別の工程８に対して新たな情報記憶媒体を発行するかどうかを、工程６の進捗状況に基づいて判定し、新たな情報記憶媒体を発行すると判定した場合、その結果を工程８のコンピュータユニットに送信する。工程８のコンピュータユニットは、接続されたリライタブル装置に対して、工程６の情報記憶媒体５０ｃを情報記憶媒体５０ｄに書き換えるように指示し、当該リライタブル装置は書き換え指示に従って第１の表示領域５１又は第２の表示領域５２の書き換えを行う。さらに、工程７において、工程６の情報記憶媒体５０ｃと、工程８の情報記憶媒体５０ｄとを統合して情報記憶媒体５０ｅを発行するようにしてもよい。
【００５２】
さらに、工程７に設けられたコンピュータユニットは、入出庫管理システム８ｎ配下の工程１０に対して新たな情報記憶媒体を発行するかどうかを、工程７の進捗状況に基づいて判定し、新たな情報記憶媒体を発行すると判定した場合、その結果を工程１０のコンピュータユニットに送信する。工程１０のコンピュータユニットは、接続されたリライタブル装置に対して、工程７の情報記憶媒体５０ｅを情報記憶媒体５０ｆに書き換えるように指示し、当該リライタブル装置は書き換え指示に従って第１の表示領域５１又は第２の表示領域５２の書き換えを行う。以下同様にして、工程１１から、工程１３（情報記憶媒体５０ｇ）、工程１４（情報記憶媒体５０ｈ）、工程１２（情報記憶媒体５０ｉ）まで一連の書き換え処理を行う。
【図面の簡単な説明】
【００５３】
【図１】本発明の搬入出管理システム全体の概略構成例を示すブロック図である。
【図２】情報記憶媒体（共振タグ）の概略構成例を示すブロック図である。
【図３】ＲＦ通信装置の概略構成例を示すブロック図である。
【図４】本発明が適用される搬入出管理方法の一例を説明するためのフロー図である。
【図５】本発明が適用される搬入出管理方法の一例を説明するためのフロー図で、図４に示すフローの続きである。
【図６】ゲートに設けられた暖簾状シート部材の一例について示した図である。
【図７】本発明の搬入出管理システム全体の概略構成の他の例を示すブロック図である。
【図８】ＤＢあるいは制御部のメモリに格納される工程管理情報テーブル及び表示領域管理テーブルの一例を示す図である。
【符号の説明】
【００５４】
１（１ａ〜１ｎ）…ＲＦ通信装置、２…制御装置、２ａ…制御部、３…Ｉ／Ｆ部、４…ＬＡＮ制御装置、５…ホストコンピュータ、６…ＤＢ、７ａ〜７ｎ…コンピュータユニット（演算処理装置）、８ａ〜８ｎ…上位システム、９ａ〜９ｎ…リライタブル装置、１０，５０…情報記憶媒体、１１…ＲＦ回路、１２…制御回路、１３…ＥＥＰＲＯＭ、２０…出力部（表示板）、２１…変調回路、２２…送信制御部、２３…受信制御部、２４…復調回路、２５…アンテナ、２６…制御部、２７…Ｉ／Ｆ部、３０…対象物、４０…暖簾状シート部材、４１ａ〜４１ｃ…各列、４２ａ〜４４ｃ…包袋部、４５…制御部、５１…第１の表示領域、５２…第２の表示領域、５３…記憶領域。
【図１】
2005108203.tif 000003
【図２】
2005108203.tif 000004
【図３】
2005108203.tif 000005
【図４】
2005108203.tif 000006
【図５】
2005108203.tif 000007
【図６】
2005108203.tif 000008
【図７】
2005108203.tif 000009
【図８】
2005108203.tif 000010